(57)【特許請求の範囲】
【請求項１】
少なくともいずれか一方に広告情報が表示され、内部に空間部を有し、対向して配置される一対の基体と、
各基体の下端部に屈曲自在に取り付けられ、基体を自立可能に保持する一対の保持体と、
前記基体間に配置されるとともに前記保持体に連結され、前記保持体の屈曲にともなって前記空間部を移動する移動体と、を備えることを特徴とする広告表示体。
【請求項２】
前記基体は、前後方向のうち一方側に屈曲自在な屈曲部を有し、前記保持体の屈曲にともなって、前記移動体の先端部は少なくとも前記屈曲部を超えるまで移動することを特徴とする請求項１に記載の広告表示体。
【請求項３】
前記保持体の下方は、内側に屈曲自在に形成されており、前記移動体は、前記保持体の下方に屈曲自在に連結されていることを特徴とする請求項１、又は請求項２に記載の広告表示体。
【請求項４】
前記移動体の移動範囲を規制する規制手段を備えていることを特徴とする請求項１〜３のいずれか一項に記載の広告表示体。
【請求項５】
一対の基体が第１の折り目線を介して水平方向に連接され、一方の基体の側部には、第２の折り目線を介して他方の基体の開放端部と連結される連結体が水平方向に連接され、各基体の下端部には、第３の折り目線を介して支持部材が連接され、この支持部材の下端部には、第４の折り目線を介して移動体が連接され、当該支持部材は上下が区分けされるように第５の折り目線を有した１枚の用紙体を用意し、前記第１の折り目線に沿って一方の基体に対し他方の基体を屈曲し、前記連結体によって内部に空間部を有するように各基体を連結し、前記移動体を第４の折り目線に沿って屈曲して前記空間部に挿入し、前記一対の基体のいずれか一方に広告情報が表示されていることを特徴とする広告表示体の製造方法。
【請求項６】
広告情報が表示される板状の広告表示用の部材を着脱可能に取り付けられる広告表示用の基台であって、
前記基台は、
内部に空間部を有し、対向して配置される一対の基体と、
各基体の下端部に屈曲自在に取り付けられ、基体を自立可能に保持する一対の保持体と、
前記基体間に配置されるとともに前記保持体に連結され、前記保持体の屈曲にともなって前記空間部を移動する移動体と、を備えることを特徴とする広告表示用の基台。
【請求項７】
広告情報が表示される板状の広告表示用の部材を着脱可能に取り付けられる広告表示用の基台の製造方法であって、
基体の両側部に第１の折り目線を介して突起部が連接され、基体の下端部には、第２の折り目線を介して支持部材が連接され、この支持部材の下端部には、第３の折り目線を介して移動体が連接され、当該支持部材は上下が区分けされるように第４の折り目線を有した用紙体を２枚用意し、両方の前記突起部を第１の折り目線に沿って基体の裏側に屈曲して前記基体に貼着し、前記移動体を第３の折り目線に沿って前記基体の裏側に屈曲し、前記２枚の用紙体の突起部及び移動体同士を重ね合わせて貼着し、内部に空間部を有するように各基体を対向して配置し、前記空間部に前記移動体を配置することを特徴とする広告表示用の基台の製造方法。
【発明の詳細な説明】
【技術分野】
【０００１】
本発明は、広告情報を表示する自立式の広告表示体、及び広告表示用の基台等に関する。
【背景技術】
【０００２】
従来から、各種商品やサービスのキャンペーンを顧客に告知するための広告情報を表示した広告表示体が知られている。
【０００３】
このような広告表示体は、様々な態様のものが知られており、例えば、店頭などに設置される大型の自立式広告パネル（特許文献１参照）や、店舗内のテーブル上に載置される小型の自立式広告パネルがある。
【０００４】
特許文献１に示す広告表示体は、広告情報が表示された大型で矩形状の表示パネルを立体的に折り曲げられた支持体により後方で支持するものであって、当該支持体を展開し、折り畳むことで薄い平面状に折り畳み可能となっている。
【先行技術文献】
【特許文献】
【０００５】
【特許文献１】実用新案登録第３１６２０７６号公報
【発明の概要】
【発明が解決しようとする課題】
【０００６】
このような従来の広告表示体は、支持体を展開し広告が表示される展示状態と支持体及び表示パネルを折り畳んで収納する収納状態とに転換自在であるものの、実際に折り畳み状態から展示状態に展開、展示状態から折り畳み状態に戻すには、相当な手間が必要である。
【０００７】
そこで、本発明は、上記問題点に鑑みてなされたものであり、その目的の一例は、容易に展示状態と収納状態に転換可能な広告表示体、及び広告表示用の基台等を提供することである。
【課題を解決するための手段】
【０００８】
上記課題を解決するために、請求項１に記載の広告表示体（１０）は、少なくともいずれか一方に広告情報が表示され、内部に空間部（２）を有し、対向して配置される一対の基体（６、７）と、各基体の下端部に屈曲自在に取り付けられ、基体を自立可能に保持する一対の保持体（１６、１７）と、前記基体間に配置されるとともに前記保持体に連結され、前記保持体の屈曲にともなって前記空間部を移動する移動体（２０）と、を備えることを特徴とする。
【０００９】
また、請求項２に記載の広告表示体は、請求項１に記載の広告表示体において、前記基体は、前後方向のうち一方側に屈曲自在な屈曲部（１１、１３）を有し、前記保持体の屈曲にともなって、前記移動体の先端部は少なくとも前記屈曲部を超えるまで移動することを特徴とする。
【００１０】
また、請求項３に記載の広告表示体は、請求項１、又は請求項２に記載の広告表示体において、前記保持体の下方は、内側に屈曲自在に形成されており、前記移動体は、前記保持体の下方に屈曲自在に連結されていることを特徴とする。
【００１１】
また、請求項４に記載の広告表示体は、請求項１〜３のいずれか一項に記載の広告表示体において、前記移動体の移動範囲を規制する規制手段（３９）を備えていることを特徴とする。
【００１２】
また、請求項５に記載の広告表示体の製造方法は、一対の基体（６、７）が第１の折り目線（３１）を介して水平方向に連接され、一方の基体の側部には、第２の折り目線（３１ａ）を介して他方の基体の開放端部と連結される連結体（３３）が水平方向に連接され、各基体の下端部には、第３の折り目線（３６）を介して支持部材（１６、１７）が連接され、この支持部材の下端部には、第４の折り目線（３８）を介して移動体（２０）が連接され、当該支持部材は上下が区分けされるように第５の折り目線（３７）を有した１枚の用紙体（３５）を用意し、前記第１の折り目線に沿って一方の基体に対し他方の基体を屈曲し、前記連結部によって内部に空間部を有するように各基体を連結し、前記移動体を第４の折り目線に沿って屈曲して前記空間部に挿入し、前記一対の基体のいずれか一方に広告情報が表示されていることを特徴とする。
【００１３】
また、請求項６に記載の広告表示用の基台（５０）は、広告情報が表示される板状の広告表示用の部材（５５）を着脱可能に取り付けられる広告表示用の基台であって、前記基台は、内部に空間部を有し、対向して配置される一対の基体と、各基体の下端部に屈曲自在に取り付けられ、基体を自立可能に保持する一対の保持体と、前記基体間に配置されるとともに前記保持体に連結され、前記保持体の屈曲にともなって前記空間部を移動する移動体と、を備えることを特徴とする。
【００１４】
また、請求項７に記載の広告表示用の基台の製造方法は、広告情報が表示される板状の広告表示用の部材を着脱可能に取り付けられる広告表示用の基台の製造方法であって、基体（６、７）の両側部に第１の折り目線（８１）を介して突起部（８７）が連接され、基体の下端部には、第２の折り目線（８２）を介して支持部材（１６、１７）が連接され、この支持部材の下端部には、第３の折り目線（８４）を介して移動体（２０）が連接され、当該支持部材は上下が区分けされるように第４の折り目線（８３）を有した用紙体（７５、７５ａ）を２枚用意し、両方の前記突起部を第１の折り目線に沿って基体の裏側に屈曲して前記基体に貼着し、前記移動体を第３の折り目線に沿って前記基体の裏側に屈曲し、前記２枚の用紙体の突起部及び移動体同士を重ね合わせて貼着し、内部に空間部を有するように各基体を対向して配置し、前記空間部に前記移動体を配置することを特徴とする。
【発明の効果】
【００１５】
以上のように、本発明における広告表示体等によれば、簡単に展示状態と収納状態を転換自在であり、コンパクトに折り畳まれるため、持ち運びや組立が誰でも簡単に行うことができる。
【図面の簡単な説明】
【００１６】
【図１】第１実施形態における広告表示体の展示状態を示す斜視図であって、図１（ａ）は表側から視認した状態を示す斜視図、図１（ｂ）は裏側から視認した状態を示す斜視図である。
【図２】第１実施形態における広告表示体の移動体の移動状態を説明するための斜視図である。
【図３】第１実施形態における広告表示体を収納状態から展開した状態の一例を示す図であって、図３（ａ）は斜視図、図３（ｂ）は縦断面図である。
【図４】第１実施形態における広告表示体の収納状態を示す図であって、図４（ａ）は斜視図、図４（ｂ）は縦断面図である。
【図５】第２実施形態における広告表示体を製造するための用紙体の展開図である。
【図６】第２実施形態における広告表示体の収納状態を示す斜視図である。
【図７】第２実施形態における広告表示体の展示状態を示す斜視図である。
【図８】第３実施形態における広告表示体の展示状態を示す斜視図である。
【図９】第３実施形態における広告表示体用の一対の基台を製造するための用紙体の展開図を示し、図９（ａ）は基台を構成する一方の用紙体の展開図、図９（ｂ）は基台を構成する他方の用紙体の展開図である。
【図１０】第３実施形態における広告表示体用の基台の展示状態を示す斜視図である。
【図１１】第３実施形態における広告表示体用の基台の収納状態を示す斜視図である。
【発明を実施するための形態】
【００１７】
以下に、本願の最良の実施形態を添付図面に基づいて説明する。なお、以下の説明において、便宜上、図１及び図１０の上下方向を広告表示体又は基台の上下方向とし、奥行き側又は手前側を広告表示体又は基台の左方向、又は右方向とし、左右方向を広告表示体又は基台の前後方向として説明するものとする。
【００１８】
―第１実施形態−
図１〜図４を用いて、本発明の第１実施形態にかかる自立式の広告表示体について詳述する。
【００１９】
本実施形態の自立式の広告表示体（以下、「広告体１０」と称する。）は、例えば、イメージキャラクターを示す等身大の大きさを有し、ダンボール紙や厚紙等の用紙を用いて製造される。この広告体１０は、図１に示すように広告や宣伝に関する様々な情報（以下、「広告情報」と称する。）を表示する状態を示す展示状態と、図４に示すように平坦状に、且つコンパクトに折り畳まれて収納される収納状態と、に転換自在であり、収納状態とすることで大型の広告表示体を簡単に持ち運ぶことが可能となっている。
【００２０】
図１に示すように、広告体１０は、上下に折り曲げ可能な広告表示部５と、この広告表示部５を自立可能に下方で保持する自立保持部１５と、を備えている。
【００２１】
広告表示部５は、図１及び図４に示すように、内部に所定の空間部２を有する断面が矩形状の略箱型形状に形成されており、下端面には当該空間部２と連絡する開口５ａを有している。
【００２２】
この広告表示部５の表面６（本願の基体の一方）には、広告情報が表示される。また、この表面６には、図１（ａ）及び図３（ａ）に示すように、中央部より少し下方に水平方向に延びる折り目線１１が形成されている。一方、広告表示部５の裏面７（本願の基体の他方）には、図１（ｂ）、及び図２に示すように、前記折り目線１１に対向して切込線１３が形成されており、この切込線１３は、側面にまで延びて形成されている。広告表示部５は、この折り目線１１と切込線１３により、図２に示すように、折り目線１１に沿ってその上部が前方に屈曲自在になっている。この結果、広告表示部５は、図４に示すように、上下方向においてほぼ半分に折り畳むことが可能である。また、図１（ｂ）に示すように、広告表示部５の裏面７に形成されている切込線１３の上側には、下方に延びるフラップ１４が取り付けられており、このフラップ１４は、展示状態においては、この切込み線１３を隠すように覆い（図１）、収納状態においては、空間部２を塞ぐ上蓋として機能するようになっている（図４）。
【００２３】
自立保持部１５は、図１乃至図３に示すように、この広告表示部５の表面６及び裏面７のそれぞれの下端部から下方に延びるように設けられ、水平方向に延びる折り目線１８を介して双方が離れる方向（以下、「外側」と称する。）に屈曲自在に配置されている２つの支持部材１６、１７（本願の保持体）と、この支持部材１６、１７間に配置され、一部が前記空間部２に挿入されて上下方向に移動可能な移動体２０と、を備えている。
【００２４】
この前後２つの支持部材１６、１７は、下端部において屈曲自在に連結されており、この連結部分には、移動体２０の下端部が取り付けられている。
【００２５】
また、各支持部材１６、１７には、上下を区分けするようにして水平方向に延びる折り目線１９が形成されている。そして、図１に示すように、自立保持部１５は、各支持体１６、１７の上部が外側に屈曲することで、各支持部材１６、１７の下部が当該折り目線１９を介して双方が近づく方向（以下、「内側」と称する。）に屈曲し、各支持部材１６、１７の下部が載置面上に載置された時の広告表示体１０の底面として機能し、側面視においてトラス形状に形成されることで、広告表示部５を下方から自立可能に保持する。
【００２６】
このように支持部材１６、１７の上部は広告表示部５の表裏面６、７に対して傾斜する傾斜体として機能し、支持部材１６、１７の下部は傾斜体と移動体２０とを繋ぐ連結体として機能する。
【００２７】
移動体２０は、支持部材１６、１７の下部の屈曲動作にともなって空間部２を上方に移動する。また、移動体２０の先端部は、少なくとも前記折り目線１１を超える所定の位置まで移動する。
【００２８】
このように、広告体１０は、支持部材１６、１７の上部が、外側へと屈曲することにより、支持部材１６、１７の下部が、内側へと屈曲し、当該支持部材１６、１７の下部が水平面となって、当該広告体１０を載置する載置面上に載置されることで自立可能となっている。また、広告体１０の自立保持部１５は、支持部材１６と移動体１７により側面視においてトラス形状に形成されるため、大型の広告表示部５を保持するための強度を十分に確保することができる。
【００２９】
次に、第１実施形態にかかる広告体において、図４に示す収納状態から図１に示す展示状態までの組立手順の一例について説明する。
【００３０】
まず、図４に示す広告表示部５の上部を折り目線１１を介して上方へと持ち上げて、図３に示すように展開するとともに、広告体１０を載置する載置面に支持部材１６、１７の下端面を押し当てる。この結果、図２に示すように、支持部材１６、１７の下部が折り目線１９を介して内側へと屈曲するとともに、支持部材１６、１７の上部が折り目線１８を介して外側へと屈曲する。そして、支持部材１６、１７の上部が広告表示部５の表裏面６、７に対して前後方向へと傾斜するとともに、支持部材１６、１７の下部が水平状態に配置されて載置面と接触し、自立保持部１５の組立が完了する。
【００３１】
一方、移動体２０は、図２に示すように、支持部材１６、１７の下部の屈曲動作にともなって、空間部２を上方へと移動し、その先端部が広告表示部５の切込線１３より上方へと突出する。この移動体２０の突出部分は、広告表示部５の上部の空間部２へと挿入される。この結果、図１に示すように、広告表示部５の上部が立設し、広告体１０の組立が完了する。
【００３２】
なお、本実施形態では、連結体として機能する支持部材の下部は、傾斜体として機能する支持部材の上部下端と、移動体の下端と、に屈曲自在に連結されているが、部材の加工を容易にするためにこのような形態にしたものであって、必ずしも端部に連結されている必要はなく、例えば、支持部材１６、１７の上部中央部等であっても構わない。
【００３３】
以上に説明したように本実施形態の広告体１０は、内部に空間部２を有し、対向して配置される表面６及び裏面７を有する広告表示部５と、この表面６及び裏面７のそれぞれの下端部に屈曲自在に取り付けられ、広告表示部５を自立可能に保持する一対の支持部材１６、１７と、前記表面６及び裏面７の間に配置されるとともにそれぞれの支持部材１６、１７に連結され、前記支持部材１６、１７の屈曲にともなって、前記空間部２を移動する移動体２０と、を備えている。このような広告体１０によれば、支持部材１６、１７がそれぞれが外側に屈曲することによって自立可能となる。よって、広告体１０は、支持部材１６、１７の屈曲によって、簡単に展示状態と収納状態とに転換自在となり、収納状態とすれば持ち運びに便利となる。
【００３４】
また、前記広告表示部５は、折り目線１１及び切込線１３により前方（後方でも構わない）に屈曲自在な屈曲部を有し、前記支持部材１６、１７の屈曲にともなって、前記移動体２０の先端部は少なくとも前記屈曲部を超えるまで移動する。このような広告体１０によれば、収納状態においては、広告表示部５を屈曲して折畳みコンパクトにできるため持ち運びに便利であり、収納状態から展示状態に転換する場合においては、特に手間を必要とすることなく広告表示部５の上部が倒れないように移動体２０により支持されるため簡単に組立を行うことができる。
【００３５】
また、前記支持部材１６、１７の下方は、内側に屈曲自在に形成されており、前記移動体２０は、前記支持部材１６、１７の下方に屈曲自在に連結されている。このような広告体１０によれば、支持部材１６、１７の上方の屈曲にともなって、支持部材１６、１７の下方は内側に屈曲され、載置面に対して支持部材１６、１７の下方が水平面となって載置されることで側面視においてトラス形状に形成され、強度が十分に確保された状態で安定して自立させることができる。
【００３６】
―第２実施形態−
以下、図５乃至図７を参照して、第２実施形態の広告体３０について説明する。なお、図１乃至図４と同一の機能を有する部材には同一の符号を付するものとし、その説明は省略するものとする。
【００３７】
まず、本実施形態の特徴となるべき点は、１枚の紙で製造される点にある。また、本実施形態の広告体３０はテーブルの上等に載置して用いられる小型の広告体に好適に用いられる点にある。
【００３８】
本実施形態の広告体３０は、図５に示すように、例えば、コシのある薄紙用紙や段ボール等の板状の用紙体３５を素材として、所定の金型を用いて打抜、又は切断することによって製造される。
【００３９】
用紙体３５は、広告表示部５として機能する略矩形状の表面６及び裏面７が垂直方向に延びる折り目線３１を介して連設され、表面６の左側方（裏面７の右側方でもよい）には、のりしろとして機能し、裏面７の側方開放端部と連結される連結体３３が垂直方向に延びる折り目線３１ａを介して連設される。なお、例えば、この表面６又は裏面７には広告情報が表示される。
【００４０】
表面６及び裏面７の下端には、自立保持部１５として機能する支持部材１６、１７と移動体２０がそれぞれ連設される。
【００４１】
支持部材１６、１７は、当該表面６及び裏面７の下端に水平方向に延びる折り目線３６を介して連接される。なお、各支持部材１６、１７は、切込線３４によって区分けされる。また、支持部材１６、１７には、上下を区分けするようにして水平方向に延びる折り目線３７が形成される。
【００４２】
また、移動体２０は、支持部材１６、１７の下端に、水平方向に延びる折り目線３８を介してそれぞれ連設される。この移動体２０は、縦方向に長い長方形状に形成される。また、移動体２０は、左右方向の幅が支持部材１６、１７の幅よりも少し狭く形成され、その途中には、両側に突出する突起部３９をそれぞれ有して形成される。
【００４３】
このように構成された用紙体３５は、まず、折り目線３１を介して、表面６に対して突起体３３及び裏面７が谷折りされて表面６と裏面７とが対向して配置され、裏面７の右側端部に突起体３３が内側に折り込まれた状態で糊などによって貼着され、内部に空間部２が形成されるようにして、表面６と裏面７とが貼り合わされる。
【００４４】
次に、折り目線３６によって支持部材１６、１７の上部が谷折りされて外側に屈曲するように折筋が付けられ、折り目線３７によって支持部材１６、１７の下部が山折りされて内側に屈曲するように折筋が付けられる。
【００４５】
最後に、移動体２０が、折り目線３８を介して山折りされて内側に屈曲されて、その先端部が空間部２に挿入されて広告体３０の組立が完了する。
【００４６】
次に、第２実施形態にかかる広告体において、図６に示す収納状態から図７に示す展示状態までの組立手順の一例について説明する。
【００４７】
広告体３０を載置する載置面に支持部材１６、１７の下端面を押し当てる。この結果、図７に示すように、支持部材１６、１７の下部が折り目線３７によって内側へと屈曲するとともに、支持部材１６、１７の上部が折り目線３６によって外側へと屈曲する。この結果、支持部材１６、１７の上部は広告表示部５の表裏面６、７に対して前後方向へと傾斜するとともに、支持部材１６、１７の下部が水平状態に配置されて載置面に当接し、自立保持部１５の組立が完了する。
【００４８】
一方、移動体２０は、支持部材１６、１７の下部の屈曲動作にともなって、空間部２を上方へと移動する。そして、移動体２０の両側に設けられた突起部３９が表裏面６、７により形成された開口端部３２に下方から係合し、移動体２０の上方への移動が阻止される。この結果、支持部材１６、１７の上部の開きが規制され、自立が可能となり、広告体３０の組立が完了する。
【００４９】
以上に説明したように、本実施形態の広告体３０は、表面６及び裏面７が折り目線３１を介して水平方向に連接され、表面６の側部には、折り目線３１ａを介して裏面７の開放端部と連結される連結体３３が連接され、表面６及び裏面７のそれぞれの下端部には、折り目線３６を介して支持部材１６、１７が連接され、この支持部材１６、１７の下端部には、折り目線３８を介して移動体２０が連接され、当該支持部材１６、１７は上下が区分けされるように折り目線３７を有した１枚の用紙体３５を用意し、折り目線３１に沿って表面６に対し裏面７を屈曲し、前記連結体３３によって内部に空間部２を有するように表面６及び裏面７を連結し、前記移動体２０を折り目線３８に沿って屈曲して前記空間部２に挿入することによって組み立てられる。
【００５０】
このような製造方法によって組み立てられた広告体３０は、支持部材１６、１７の上方をそれぞれ外側に屈曲させ、支持部材の下方をそれぞれ内側に屈曲させることによって自立可能となる。よって、広告体１０は、支持部材１６、１７の屈曲によって、簡単に展示状態と収納状態とに転換自在となり、収納状態とすれば持ち運びに便利となる。
【００５１】
―第３実施形態−
以下、図８乃至図１１を参照して、第３実施形態の広告体５０について説明する。なお、図１乃至図４と同一の機能を有する部材には同一の符号を付するものとし、その説明は省略するものとする。
【００５２】
まず、本実施形態の特徴となるべき点は、広告表示用の基台５０として用いられる点である。具体的には、図８に示すように、この基台５０を２つ平行に並べ、この基台５０上に広告表示用の部材５５を取り付けることで広告体として用いられる。
【００５３】
本実施形態の広告表示用の基台５０は、例えば、テーブルの上等に載置される中型の広告表示を行う際に用いられるものであって、ダンボール紙や厚紙等の用紙を用いて製造される。
【００５４】
この広告表示用の基台５０は、図８に示すように略矩形状に形成された広告情報を表示する広告表示用の部材５５の左右下端部に嵌合されて下方から支持するものである。また、この基台５０は、図１０に示すように自立して載置面に載置される展示状態と、図１１に示すように平坦状に折り畳まれて収納される収納状態と、に転換自在であり、収納状態とすることで持ち運びが可能となっている。
【００５５】
図１０に示すように、基台５０は、広告表示用の部材５５と嵌合する嵌合部６１を有する基体６０と、この基体６０を自立可能に下方で保持する自立保持部６５と、を備えている。嵌合部６１は、基体６０の上端部から下方垂直方向に形成された切込であって、広告表示用の部材５５にも同様な切込が形成される。そして、互いに当該切込同士が嵌合することによって固定することが可能となっている。
【００５６】
本実施形態の基台５０は、図９に示すように、例えば、コシのある厚紙用紙や段ボール等の板状の用紙体７５、７５ａを素材として、所定の金型を用いて打抜、又は切断することによって製造される。また、当該基台５０は同一形状に形成された２つの用紙体７５、７５ａを貼り合わせることによって製造される。
【００５７】
一方の用紙体７５は、図９（ａ）に示すように、広告表示部として機能する略矩形状の表面６を有し、この表面の両側には、空間部２を形成するためのスペーサとしての役割を果たす突起体７６、７６が垂直方向に延びる折り目線８１を介して連設される。
【００５８】
表面６の下端には、自立保持部１５として機能する支持部材１６と移動体２０がそれぞれ連設される。
【００５９】
支持部材１６は、当該表面６の下端に水平方向に延びる折り目線８２を介して連接される。また、支持部材１６には、上下を区分けするようにして水平方向に延びる折り目線８３が形成されている。
【００６０】
また、移動体２０は、支持部材１６の下端に、水平方向に延びる折り目線８４を介して連設される。この移動体２０は、略矩形状の基部８６と、その基部８６の下端部に当該基部８６の幅よりも狭い幅を有する突起部８７と、を備えて形成される。
【００６１】
他方の用紙体７５ａは、図９（ｂ）に示すように、広告表示部として機能する略矩形状の裏面７を有し、この裏面７の両側には、空間部２を形成するためのスペーサとしての役割を果たす突起体７６、７６が垂直方向に延びる折り目線８１を介して連設される。
【００６２】
裏面７の下端には、自立保持部１５として機能する支持部材１７と移動体２０がそれぞれ連設される。
【００６３】
支持部材１７は、当該裏面７の下端に水平方向に延びる折り目線８２を介して連接される。また、支持部材１７には、上下を区分けするようにして水平方向に延びる折り目線８３が形成される。
【００６４】
また、移動体２０は、支持部材１７の下端に、水平方向に延びる折り目線８４を介して連設される。この移動体２０は、略矩形状の基部８６と、その基部８６の下端部に当該基部８６の幅よりも狭い幅を有する突起部８７と、を備えて形成される。
【００６５】
このように構成された一方の用紙体７５は、まず、折り目線８１を介して、表面６に対して突起体７６が谷折りされて表面６の裏側左右に重ね合わされて糊などによって貼着される。
【００６６】
次に、折り目線８２によって支持部材１６の上部が谷折りされて外側に屈曲するように折筋が付けられ、折り目線８３によって支持部材１６の下部が山折りされて内側に屈曲するように折筋が付けられる。
【００６７】
また、移動体２０が、折り目線８４を介して山折りされて内側に屈曲されて、支持部材１６の内側に重ね合わされて配置される。
【００６８】
次に、他方の用紙体７５ａが、一方の用紙体７５と同様に製造される。
【００６９】
そして、当該一方の用紙体７５と他方の用紙体７５ａの突起体７６同士、及び一方の用紙体７５と他方の用紙体７６の移動体２０同士が糊などによって貼着されることで、表面６と裏面７とが空間部２を有して対向して配置され、基台５０の組立が完了する。
【００７０】
次に、第３実施形態にかかる基台において、図１１に示す収納状態から図１０に示す展示状態までの組立手順の一例について説明する。
【００７１】
基台５０を載置する載置面に支持部材１６、１７の下端面を押し当てる。この結果、図１０に示すように、支持部材１６、１７の下部が折り目線８３によって内側へと屈曲するとともに、支持部材１６、１７の上部が折り目線８２によって外側へと屈曲する。この結果、支持部材１６、１７の上部は広告表示部５の表裏面６、７に対して前後方向へと傾斜するとともに、支持部材１６、１７の下部が水平状態に配置されて載置面に当接し、自立保持部１５の組立が完了する。
【００７２】
一方、移動体２０は、支持部材１６、１７の下部の屈曲動作にともなって、空間部２を上方へと移動する。そして、移動体２０の先端に設けられた突起部８７が表裏面６、７の間に配置された左右の突起体７６、７６の間に挿入されるとともに、移動体２０の両側先端部が当該突起体７６の下端面に当接し、移動体２０の上方への移動が阻止される。この結果、支持部材１６、１７の上部の開きが規制され、自立が可能となり、基台５０の組立が完了する。
【００７３】
なお、この基台５０を用いて広告体として用いる場合には、図８に示すように当該基台５０を２つ平行に並べ、広告表示用の部材５５を基台５０、５０に取り付けることで完了する。
【００７４】
以上に説明したように、本実施形態の基台５０は、表面６及び裏面７の両側部に折り目線８１を介して突起部８７が連接され、表面６及び裏面７の下端部には、折り目線８２を介して支持部材１６、１７が連接され、この支持部材１６、１７の下端部には、折り目線８４を介して移動体２０が連接され、当該支持部材１６、１７は上下が区分けされるように折り目線８３を有した用紙体７５、７５ａを２枚用意し、両方の前記突起部７６を折り目線８１に沿って表面６及び裏面７の裏側に屈曲して前記表面６及び裏面７に貼着し、前記移動体２０を折り目線に沿って前記表面６及び裏面７の裏側に屈曲し、前記２枚の用紙体７５、７５ａの突起部７６及び移動体２０同士を重ね合わせて貼着し、内部に空間部２を有するように表面６と裏面７とを対向して配置し、前記空間部２に前記移動体２０が配置されるように組み立てられる。
【００７５】
このような製造方法によって組み立てられた基台５０によれば、支持部材１６、１７の上方をそれぞれ外側に屈曲させ、支持部材の下方をそれぞれ内側に屈曲させることによって自立可能となる。よって、広告体１０は、支持部材１６、１７の屈曲によって、簡単に展示状態と収納状態を転換自在となり、収納状態とすれば持ち運びに便利となる。
【００７６】
なお、以上説明した実施形態は特許請求の範囲にかかる発明を限定するものではない。そして、上記実施形態の中で説明されている構成の組み合わせすべてが発明の課題解決に必須の手段であるとは限らない。
【００７７】
具体的には、本実施形態における広告表示部５は略矩形の形状としたが、当該略矩形の形状の１つ乃至すべての頂点を面取りした形状（例えば、略五角形、略六角形、略七角形、又は略八角形等）としたり、人型としても構わない。すなわち、広告表示部５の形状は特に限定されるものではなく、どのような形状を有していても構わない。
【００７８】
また、実施形態で説明した折り目線は、用紙体を折り曲げ自在とするための処理が施されたものであり、例えば、用紙体に対して、筋付け（筋押し、又は筋入れ）等の各処理を施すことにより形成される（いわゆる罫線も含む）。
【００７９】
また、広告体や基台の素材としては、用紙や段ボールに限られず、アクリル板等であっても構わず、いわゆる平板状の基材であれば良い。
【００８０】
また、各実施形態で示す折り目線は、屈曲自在に連結したものを示すが、分離している部材同士をテープ等で接合して連結するようにしても構わない。
【００８１】
また、第３実施形態に示す嵌合部は、広告表示用の部材５５を基台５０上に取り付けるための一例を示したものであって、切込のみに限定されるものではなく、一般の公知技術を適用することができる。
【符号の説明】
【００８２】
２        空間部
５        広告表示部
６        表面
７        裏面
１０、３０  広告体
１１        折り目線
１３        切込線
１６、１７  支持部材
２０        移動体
３３        連結体
３５、７５、７５ａ  用紙体
３９        突起部
５０        基台
５５        広告表示用の部材
【図１】
0005906662.tif 000002
【図２】
0005906662.tif 000003
【図３】
0005906662.tif 000004
【図４】
0005906662.tif 000005
【図５】
0005906662.tif 000006
【図６】
0005906662.tif 000007
【図７】
0005906662.tif 000008
【図８】
0005906662.tif 000009
【図９】
0005906662.tif 000010
【図１０】
0005906662.tif 000011
【図１１】
0005906662.tif 000012